(57)【要約】【課題】皺伸ばしの効率を高めるように改良された一般家庭用簡易型バキュウム補助装置付きアイロン台を提供することを目的とする。【解決手段】一般家庭用簡易型バキュウム補助装置付きアイロン台は、アイロン台８と水滴溜タンク１１とを備える。アイロン台８は、上面がメッシュにされた空洞の箱６からなり、箱６の中のスチームを外部に排出するためのバキュウム吸引口７を有する。水滴溜タンク１１は、吸い込み口９と排気口１０を有し、排出されたスチーム５から発生する水滴を分離して回収する。バキュウム吸引口７と水滴溜タンク１１の吸い込み口９は接続され、水滴溜タンク１１の排気口１０は吸引機１４に接続される。【選択図】図２
0003203019.tif 000002
【実用新案登録請求の範囲】
【請求項１】
衣類にスチームアイロンをかけて皺を伸ばす皺伸ばし装置であって、
上面がメッシュにされた空洞の箱からなり、該箱の中のスチームを外部に排出するためのバキュウム吸引口を有するアイロン台と、
吸い込み口と排気口を有する、前記排出されたスチームから発生する水滴を分離し回収する水滴溜タンクと、を備え、
前記アイロン台の前記バキュウム吸引口と前記水滴溜タンクの前記吸い込み口は接続され、前記水滴溜タンクの前記排気口は吸引機に接続される、一般家庭用簡易型バキュウム補助装置付きアイロン台。
【請求項２】
前記バキュウム吸引口から前記空洞の箱内に広がるように曲折して延びる、その表面に複数の孔が設けられたスチーム吸入管をさらに備える請求項１に記載の一般家庭用簡易型バキュウム補助装置付きアイロン台。
【請求項３】
前記アイロン台の前記上面は、カバー／バキュウム調整クッション／メッシュ板の積層体で形成される、請求項１又は２に記載の一般家庭用簡易型バキュウム補助装置付きアイロン台。
【請求項４】
前記水滴溜タンクは、分離可能な蓋部と本体部からなり、前記吸い込み口と前記排気口は前記蓋部に設けられている、請求項１〜３のいずれか１項に記載の一般家庭用簡易型バキュウム補助装置付きアイロン台。
【考案の詳細な説明】
【技術分野】
【０００１】
本考案は一般に一般家庭用簡易型バキュウム補助装置付きアイロン台に関するものであり、より特定的には、皺伸ばしの効率を上げるとともに衣類にハリを持たせて、仕上がりの映えを向上させるように改良した一般家庭用簡易型バキュウム補助装置付きアイロン台に関する。
【背景技術】
【０００２】
家庭では、衣類の皺伸ばしに、アイロン、アイロン台、スムーザーなどが用いられる。図５は、従来のアイロン台１の上で、スチームアイロン２を用いて衣類３にアイロンがけを行い、皺を伸ばしている様子を示す図である。アイロン台１は、脚４が付いたものを使用し、これによってスチーム５がちゃんと下まで通る。スチームアイロン２には形も機能もいろいろなものがあるが、スチーム５がたっぷり出るものが、皺を伸ばすのに好ましい。スムーザーは、アイロン２を軽々と滑らせて、洗たくジワをラクに取るために用いられる。その他、えりやカフスなどハリを持たせたい部分には、アイロン用キーピングが用いられる。
【考案の概要】
【考案が解決しようとする課題】
【０００３】
しかし、従来のアイロン台１では、脚４を付けることによってスチーム５が下まで通るように工夫されているが、充分に衣類３の皺が取れないというのが現状である。スチームアイロン２もスチーム容量の大きいものが望ましいが、それにも限界がある。
【０００４】
このような問題点に鑑み、考案者は鋭意研究を行った結果、バキュウム力により、衣類を仕上げ台に吸着させ、安定させる事が仕上げの効率を上げることを見出した。また、アイロン掛けは皺伸ばしと共に、衣類にハリを持たせるのも重要な要素である。旧来の一般家庭向けアイロン台に、そのような性能を持つものは一切無い。考案者は、仕上りの映えは、アイロンの蒸気やプレス力よりも、仕上げ台そのもののバキュウム力が全ての効率を上げることを見出し、本考案に到達した。
【０００５】
何より重要と考えたのは、バキュウム機器を備えた仕上げ台は、当然製造コストのアップとなり、単価は上がる。家庭に既存する機器（例えば電気掃除機）を使うことにより、単価を下げることができ、導入がたやすくなり、かつ場所も取らないと考えて本考案に到達した。
【０００６】
すなわち、本考案は、皺伸ばし効率を上げるとともに衣類にハリを持たせて、仕上がりの映えを向上させるように改良された一般家庭用簡易型バキュウム補助装置付きアイロン台を提供することを目的とする。
【０００７】
この考案は他の目的は、皺伸ばしの効率（スピード）を高めることができるように改良された、一般家庭用簡易型バキュウム補助装置付きアイロン台を提供することにある。
【課題を解決するための手段】
【０００８】
本考案は、衣類にスチームアイロンをかけて皺を伸ばす皺伸ばし装置に係り、上面がメッシュにされた空洞の箱からなり、該箱の中のスチームを外部に排出するためのバキュウム吸引口を有するアイロン台を備える。さらに、吸い込み口と排気口を有する、上記排出されたスチームから発生する水滴を分離し回収する水滴溜タンクを備える。上記アイロン台の上記バキュウム吸引口と上記水滴溜タンクの上記吸い込み口は接続される。上記水滴溜タンクの上記排気口は吸引機に接続される。吸引機には、一般家庭用掃除機を利用することができる。
【０００９】
この考案によれば、バキュウム力により、衣類を仕上げ台に吸着させ、安定させる。
【００１０】
この考案の好ましい実施態様によれば、上記バキュウム吸引口から上記空洞の箱内に広がるように曲折して延びる、その表面に複数の孔が設けられたスチーム吸入管をさらに備える。
【００１１】
上記バキュウム吸引口から上記空洞の箱内に広がるように曲折して延びる、その表面に複数の孔が設けられたスチーム吸入管をさらに備えることにより、アイロン台の上面全体を満遍なく均一に吸引することができる。
【００１２】
上記アイロン台の厚みは、２０〜５０ｍｍにされるのが好ましい。
【００１３】
上記水滴溜タンクは分離可能な蓋部と本体部からなり、上記吸い込み口と排気口は上記蓋部に設けられているのが好ましい。
【００１４】
水滴溜タンクを分離可能な蓋部と本体部より構成することにより、水滴溜タンク内に溜まった水を速やかに取り出すことができる。
【００１５】
上記アイロン台には、該アイロン台を下から支える折り畳み可能な架台を取り付けるのが好ましい。
【考案の効果】
【００１６】
本考案に係る一般家庭用簡易型バキュウム補助装置付きアイロン台によれば、バキュウム力により、衣類を仕上げ台に吸着させ、安定させる事ができるので、仕上げの効率を上げ、ひいては仕上りの映えを向上させる。
【図面の簡単な説明】
【００１７】
【図１】（Ａ）は実施例１に係る一般家庭用簡易型バキュウム補助装置付きアイロン台の構成要素の一つであるアイロン台の斜視図、（Ｂ）は図１（Ａ）におけるＢ−Ｂ線に沿う断面図、（Ｃ）は他の構成要素の一つである水滴溜タンクの斜視図、（Ｄ）は、図１（Ｃ）におけるＤ−Ｄ線に沿う断面図である。
【図２】（Ａ）は実施例１に係る一般家庭用簡易型バキュウム補助装置付きアイロン台の駆動の様子を示す図、（Ｂ）はバキュウム吸引管７ａと水滴回収ホース１２との接続部の拡大斜視図、（Ｃ）は継ぎ手の斜視図である。
【図３】実施例１に係る一般家庭用簡易型バキュウム補助装置付きアイロン台の動作を説明する図である。
【図４】実施例２に係る一般家庭用簡易型バキュウム補助装置付きアイロン台の構造を説明する概念図である。
【図５】従来のアイロンがけの様子を示す図である。
【考案を実施するための形態】
【００１８】
皺伸ばし効率を上げるとともに衣類にハリを持たせて、仕上がりの映えを向上させるという目的を、バキュウム力により、衣類を仕上げ台に吸着させ、安定させることによって実現した。以下、この考案の実施例を図を用いて説明する。なお、各図中、同一又は相当する部分には同一の参照番号を付し、その説明を繰り返さない。
【実施例１】
【００１９】
図１（Ａ）、（Ｃ）に示すように、実施例１に係る一般家庭用簡易型バキュウム補助装置付きアイロン台は、アイロン台８と水滴溜タンク１１とを備える。アイロン台８は、上面がメッシュにされた空洞の箱６からなり、該箱６の中のスチームを外部に排出するためのバキュウム吸引口７を有する。水滴溜タンク１１は吸い込み口９と排気口１０を有し、排出されたスチームを水滴にして回収する。水滴溜タンク１１の大きさは、例えば上面の径が２００ｍｍ、高さが１５０ｍｍである。バキュウム吸引口７の口径は、例えば２５ｍｍである。バキュウム吸引口７からバキュウム吸引管７ａが延びている。図２（Ａ）に示すように、バキュウム吸引管７ａと水滴溜タンク１１の吸い込み口９は水滴回収用ホース１２で接続され、水滴溜タンク１１の排気口１０は吸引ホース１３を介して吸引機１４、例えば一般家庭用掃除機に接続される。吸引機１４のプラグ２１はスイッチ付きコンセント２２に差し込まれ、スイッチ付きコンセント２２は電源プラグ２３を介して電源コンセント２４に接続される。
【００２０】
実施例１に係る家庭用の皺伸ばし装置の構造をさらに詳しく説明する。
【００２１】
図１（Ｂ）は、図１（Ａ）におけるＢ−Ｂ線に沿う断面図である。アイロン台８の上面は、メッシュ板（針金）１５とバキュウム調整クッション（耐熱性不織布）１６とカバー（布）１７の積層体を含む。アイロン台８の下部は、ステンレスまたは鉄製のパン（受け皿）１８で形成されている。アイロン台８の大きさは、例えば８６０ｍｍ×３６０ｍｍ×３０ｍｍである。パン１８は、折り畳み可能な脚２７で下から支えられている。アイロン台８と脚２７は一体化している。
【００２２】
図１（Ｄ）の断面図に示すように、水滴溜タンク１１は分離可能な蓋部２５と本体部２６からなる。蓋部２５は本体部２６に上から被さっているだけである。本体部２６に溜まった水は、蓋部２５を開けて取り出され、外部に廃棄される。
【００２３】
図２（Ｂ）に示すように、アイロン台８のバキュウム吸引管７ａと水滴回収用ホース１２は、汎用の継ぎ手２８で接続される。図２（Ｃ）は、継ぎ手２８の斜視図である。
【００２４】
次に本考案に係る一般家庭用簡易型バキュウム補助装置付きアイロン台の動作について説明する。
【００２５】
図２（Ａ）及び図３を参照して、スイッチ付きコンセント２２のスイッチ２２ａをオンにし、吸引機１４を駆動させて、スチームアイロン２を用いて、衣類３にアイロンがけをする。アイロンかけ時にアイロン２から発生したスチーム５は、吸引機１４の吸引力に引かれて衣類５を通過する。衣類５を通過した古いスチーム５は、アイロン台８の上面を形成するカバー１７、バキュウム調整クッション１６及びメッシュ板１５を通って、バキュウム吸引口７から水滴回収用ホース１２を通って水滴溜タンク１１に送られ水滴として回収される。この時に次の作用効果が生じている。すなわち、衣類３に蒸気を含ませて、スチームアイロン２で素早く伸ばすことにより、皺が伸びる。衣類３に含まれた水分をバキュウムで即座に除去することで衣類３の糊が立ち、コシが復元できる。またバキュウム力により、衣類３を仕上げ台に吸着させ、安定させるので、仕上げの効率（スピード）を上げる。バキュウム力によりこのような効果が相乗して現れ、皺伸ばしの向上と共に、衣類にハリを持たせることができる。
【００２６】
アイロンがけを終えると、スイッチ付きコンセント２２のスイッチ２２ａをオフにする。スイッチ付きコンセント２２を手元に置いておくと、吸引機１４の操作を手軽に行うことが出来る。また、仕上げを行うとき、吸引機を使用してはいけない時と、スチームを当てた後すぐに吸引する事が必要な時とがあり、即対応ができる。
【実施例２】
【００２７】
図４（Ａ）は、本考案の実施例２に係る家庭用の皺伸ばし装置の概念図である。実施例１に係る家庭用の皺伸ばし装置と異なる点は、その表面に複数の孔２９が設けられたスチーム吸入管３０が、バキュウム吸引口７から空洞の箱６内に広がるように曲折して延びている、すなわち、スチーム吸入管３０は、櫛形に分岐して、空洞の箱６内に広がって設けられている点である。スチーム吸入管３０はバキュウム吸引口７に連結されている。複数の孔２９は例えば口径５ｍｍの孔で、例えば１００ｍｍピッチの間隔で設けられている。スチーム吸入管３０は、ステンレス管又は塩ビ管で形成されるが、塩ビ管が腐食しない点でより好ましい。
【００２８】
スチーム吸入管３０を空洞の箱６内に広がらせて設けることにより、アイロン台８の上面全体を満遍なく均一に吸引することができる。ひいては、バキュウム力により、衣類３を仕上げ台に吸着させ、安定させるという作用効果がアイロン台８の上面全体で均一に達成される。
【００２９】
なお、作業が始まる位置から対面する右奥の位置に電気掃除機のプラグを差し込むスイッチコンセント２２をバキュウム補助装置付きアイロン台に一体的に取り付けてもよい。仕上げを行うとき、吸引機を使用してはいけない時と、スチームを当てた後すぐに吸引する事が必要な時とがあり、即対応ができるようにしたものである。
【００３０】
図４（Ａ）実施例では、曲折の形として櫛形の分岐を例示したが、これに限られるものではない。例えば、図４（Ｂ）に示すように、その表面に複数の孔２９が設けられた、渦巻き型のスチーム吸入管３０をバキュウム吸引口７から空洞の箱６内に広がるように曲折して延びて形成してもよい。
【００３１】
上記実施例では、家庭用として説明したが、業務用の衣類皺伸ばし装置に利用することもできる。
【００３２】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３３】
本考案に係る一般家庭用簡易型バキュウム補助装置付きアイロン台によれば、皺伸ばしの向上と共に、衣類にハリを持たせることができる。
【符号の説明】
【００３４】
１，８ アイロン台
２     スチームアイロン
３     衣類
４     脚
５     スチーム
６     空洞の箱
７     バキュウム吸引口
７ａ   バキュウム吸引管
９     吸い込み口
１０   排気口
１１   水滴溜タンク
１２   水滴回収用ホース
１３   吸引ホース
１４   吸引機
１５   メッシュ板
１６   バキュウム調整クッション
１７   カバー
１８   パン
１９   取っ手
２１   吸引機のプラグ
２２   スイッチ付きコンセント
２２ａ スイッチ
２３   電源プラグ
２４   電源用コンセント
２５   蓋部
２６   本体部
２７   脚
２８   継ぎ手
２９   孔
３０   スチーム吸入管
【図１】
0003203019.tif 000003
【図２】
0003203019.tif 000004
【図３】
0003203019.tif 000005
【図４】
0003203019.tif 000006
【図５】
0003203019.tif 000007